(57)【特許請求の範囲】
【請求項１】
被検体の胸部を撮影した３次元医用画像を構成する各画素の画素値に基づいて、当該３次元医用画像から肺野領域を抽出する肺野領域抽出部と、
前記肺野領域抽出部により抽出された前記肺野領域から、肺野底部領域を抽出する肺野底部領域抽出部と、
前記肺野底部領域抽出部により抽出された前記肺野底部領域の前記被検体の頭部側の頂点位置を、前記肺野底部領域が存在する範囲内における前記３次元医用画像の複数のアキシャル面それぞれにて前記肺野底部領域が占める面積に基づいて検出する検出部と、
を備える、画像処理装置。
【請求項２】
被検体の胸部を撮影した３次元医用画像を構成する各画素の画素値に基づいて、当該３次元医用画像から肺野領域を抽出する肺野領域抽出部と、
前記肺野領域抽出部により抽出された前記肺野領域から、肺野底部領域を抽出する肺野底部領域抽出部と、
前記肺野底部領域抽出部により抽出された前記肺野底部領域の前記被検体の頭部側の頂点位置を検出する検出部と、
前記検出部により検出された前記頂点位置を通るアキシャル面を特定し、特定した当該アキシャル面により前記３次元医用画像を切断したアキシャル断面画像の位置を前記被検体の横隔膜の上端位置として前記３次元医用画像のコロナル断面画像に重畳した重畳画像、又は、当該アキシャル断面画像の位置を前記被検体の横隔膜の上端位置として前記３次元医用画像のサジタル断面画像に重畳した重畳画像の少なくとも一つを所定の表示部に表示するように制御する制御部と、
を備える、画像処理装置。
【請求項３】
前記検出部により検出された前記頂点位置を通るアキシャル面、又は、当該頂点位置より所定の距離離れた位置のアキシャル面により前記３次元医用画像を切断したアキシャル断面画像、当該アキシャル断面画像の位置を前記３次元医用画像の他の画像に重畳した重畳画像の少なくとも一つを所定の表示部に表示するように制御する制御部、
を更に備える、請求項１に記載の画像処理装置。
【請求項４】
前記肺野領域抽出部は、前記３次元医用画像を構成する画素の中で画素値が所定の閾値以下の画素を特定することで、空気領域を抽出し、当該抽出した空気領域内の一つの画素をシード点とした領域拡張法を行なうことで前記肺野領域を抽出し、
前記肺野底部領域抽出部は、前記３次元医用画像の各画素が前記肺野領域として抽出された画素であるか否かを、前記被検体の下肢部から頭部に向かう体軸方向に沿った複数の走査方向にて判定し、各走査方向にて最初に前記肺野領域として判定した画素により形成される領域を前記肺野底部領域として抽出する、請求項１〜３のいずれか一つに記載の画像処理装置。
【請求項５】
前記肺野領域抽出部は、前記空気領域にて前記被検体の右側に位置する領域内の一つの画素をシード点とした領域拡張法を行なうことで右肺野領域を抽出し、
前記肺野底部領域抽出部は、前記肺野領域抽出部により抽出された前記右肺野領域から前記肺野底部領域を抽出する、請求項４に記載の画像処理装置。
【請求項６】
肺野領域抽出部が、被検体の胸部を撮影した３次元医用画像を構成する各画素の画素値に基づいて、当該３次元医用画像から肺野領域を抽出し、
肺野底部領域抽出部が、前記肺野領域抽出部により抽出された前記肺野領域から、肺野底部領域を抽出し、
検出部が、前記肺野底部領域抽出部により抽出された前記肺野底部領域の前記被検体の頭部側の頂点位置を、前記肺野底部領域が存在する範囲内における前記３次元医用画像の複数のアキシャル面それぞれにて前記肺野底部領域が占める面積に基づいて検出する、
ことを含む、画像処理方法。
【請求項７】
被検体の胸部を撮影した３次元医用画像を構成する画素の中で画素値が所定の閾値以下の画素を特定することで、空気領域を抽出し、当該抽出した空気領域内の一つの画素をシード点とした領域拡張法を行なうことで、肺野領域を抽出する肺野領域抽出部と、
前記３次元医用画像の各画素が前記肺野領域として抽出された画素であるか否かを、前記被検体の下肢部から頭部に向かう体軸方向に沿った複数の走査方向にて判定し、各走査方向にて最初に前記肺野領域として判定した画素により形成される領域を、肺野底部領域として抽出する肺野底部領域抽出部と、
前記肺野底部領域が存在する範囲内における前記３次元医用画像の複数のアキシャル面それぞれにて前記肺野底部領域が占める面積に基づいて、前記肺野底部領域抽出部により抽出された前記肺野底部領域の前記被検体の頭部側の頂点位置を検出する検出部と、
を備える、画像処理装置。
【発明の詳細な説明】
【技術分野】
【０００１】
本発明の実施形態は、画像処理装置及び画像処理方法に関する。
【背景技術】
【０００２】
従来、肺気腫の画像診断を行なう際のガイドラインでは、横隔膜上端を通るアキシャル（axial）面の断面画像が、医師が参照すべき医用画像の一つとして指定されている。
【０００３】
肺気腫の画像診断を行なう際、まず、Ｘ線ＣＴ（Computed  Tomography）装置や、Ｘ線診断装置、ＭＲＩ（Magnetic  Resonance  Imaging）装置などの医用画像診断装置により、被検体胸部の３次元医用画像が撮影される。そして、医師は、３次元医用画像におけるコロナル（coronal）面やアキシャル（axial）面などの断面画像を目視により確認して、横隔膜上端の位置を決定する。そして、医師は、横隔膜上端位置のアキシャル断面画像や、横隔膜上端位置が表示されたコロナル断面画像を参照して画像診断を行なう。具体的には、医師は、これら断面画像において特定された肺気腫領域の大きさを参照して、肺気腫の画像診断を行なう。
【０００４】
また、肺気腫では、横隔膜の位置が低くなり、間質性肺炎では、横隔膜の位置が高くなることが知られていることからも、横隔膜上端の位置は、呼吸器系疾患の画像診断を行なううえで重要となる。なお、横隔膜の位置は、ＭＲＩ画像の撮影時において、呼吸などによる撮影対象部位の動きを判断するためにも用いられる。
【先行技術文献】
【特許文献】
【０００５】
【特許文献１】特開２００７−１８５２５０号公報
【発明の概要】
【発明が解決しようとする課題】
【０００６】
しかしながら、横隔膜上端の位置決定を目視により行なうことは、観察者が複数の断面画像を観察する必要があるため、手間がかかり、その結果、画像診断の効率が悪くなってしまう。また、目視により決定される横隔膜上端の位置には、再現性がない場合がある。すなわち、目視により決定される横隔膜上端の位置は、観察者の主観的な判断によるものである。このため、横隔膜上端の位置は、異なる観察者の間で異なる場合がある。また、横隔膜上端の位置は、同一の観察者が決定処理を行なうごとに異なる場合がある。
【課題を解決するための手段】
【０００７】
実施形態の画像処理装置は、肺野領域抽出部と、肺野底部領域抽出部と、検出部とを備える。肺野領域抽出部は、被検体の胸部を撮影した３次元医用画像を構成する各画素の画素値に基づいて、当該３次元医用画像から肺野領域を抽出する。肺野底部領域抽出部は、前記肺野領域抽出部により抽出された前記肺野領域から、肺野底部領域を抽出する。検出部は、前記肺野底部領域抽出部により抽出された前記肺野底部領域の前記被検体の頭部側の頂点位置を、前記肺野底部領域が存在する範囲内における前記３次元医用画像の複数のアキシャル面それぞれにて前記肺野底部領域が占める面積に基づいて検出する。また、別の実施形態の画像処理装置は、肺野領域抽出部と、肺野底部領域抽出部と、検出部と、制御部とを備える。肺野領域抽出部は、被検体の胸部を撮影した３次元医用画像を構成する各画素の画素値に基づいて、当該３次元医用画像から肺野領域を抽出する。肺野底部領域抽出部は、前記肺野領域抽出部により抽出された前記肺野領域から、肺野底部領域を抽出する。検出部は、前記肺野底部領域抽出部により抽出された前記肺野底部領域の前記被検体の頭部側の頂点位置を検出する。制御部は、前記検出部により検出された前記頂点位置を通るアキシャル面を特定し、特定した当該アキシャル面により前記３次元医用画像を切断したアキシャル断面画像の位置を前記被検体の横隔膜の上端位置として前記３次元医用画像のコロナル断面画像に重畳した重畳画像、又は、当該アキシャル断面画像の位置を前記被検体の横隔膜の上端位置として前記３次元医用画像のサジタル断面画像に重畳した重畳画像の少なくとも一つを所定の表示部に表示するように制御する。また、別の実施形態の画像処理装置は、肺野領域抽出部と、肺野底部領域抽出部と、検出部とを備える。肺野領域抽出部は、被検体の胸部を撮影した３次元医用画像を構成する画素の中で画素値が所定の閾値以下の画素を特定することで、空気領域を抽出し、当該抽出した空気領域内の一つの画素をシード点とした領域拡張法を行なうことで、肺野領域を抽出する。肺野底部領域抽出部は、前記３次元医用画像の各画素が前記肺野領域として抽出された画素であるか否かを、前記被検体の下肢部から頭部に向かう体軸方向に沿った複数の走査方向にて判定し、各走査方向にて最初に前記肺野領域として判定した画素により形成される領域を、肺野底部領域として抽出する。検出部は、前記肺野底部領域が存在する範囲内における前記３次元医用画像の複数のアキシャル面それぞれにて前記肺野底部領域が占める面積に基づいて、前記肺野底部領域抽出部により抽出された前記肺野底部領域の前記被検体の頭部側の頂点位置を検出する。
【図面の簡単な説明】
【０００８】
【図１】図１は、本実施形態に係る画像処理装置の構成を説明するための図である。
【図２】図２は、本実施形態に係る画像処理装置による画像処理対象となるデータの一例を説明するための図である。
【図３Ａ】図３Ａは、肺野領域抽出部を説明するための図（１）である。
【図３Ｂ】図３Ｂは、肺野領域抽出部を説明するための図（２）である。
【図４】図４は、肺野底部領域抽出部を説明するための図である。
【図５】図５は、検出部の処理を説明するためのフローチャートである。
【図６Ａ】図６Ａは、検出部を説明するための図（１）である。
【図６Ｂ】図６Ｂは、検出部を説明するための図（２）である。
【図６Ｃ】図６Ｃは、検出部を説明するための図（３）である。
【図６Ｄ】図６Ｄは、検出部を説明するための図（４）である。
【図７Ａ】図７Ａは、制御部の制御により表示される画像の一例を説明するための図（１）である。
【図７Ｂ】図７Ｂは、制御部の制御により表示される画像の一例を説明するための図（２）である。
【図７Ｃ】図７Ｃは、制御部の制御により表示される画像の一例を説明するための図（３）である。
【図８】図８は、本実施形態に係る画像処理装置の処理を説明するためのフローチャートである。
【発明を実施するための形態】
【０００９】
以下、添付図面を参照して、画像処理装置の実施形態を詳細に説明する。なお、本実施形態に係る画像処理装置は、Ｘ線ＣＴ（Computed  Tomography）装置やＸ線診断装置、ＭＲＩ（Magnetic  Resonance  Imaging）装置などの医用画像診断装置により撮影された被検体胸部の３次元医用画像を用いて、横隔膜上端の位置を検出する装置である。
【００１０】
（実施形態）
まず、本実施形態に係る画像処理装置の構成について、図１を用いて説明する。図１は、本実施形態に係る画像処理装置の構成を説明するための図である。
【００１１】
図１に示すように、本実施形態に係る画像処理装置３０は、医用画像データベース２０に接続され、また、医用画像データベース２０は、医用画像診断装置１０と接続される。
【００１２】
医用画像診断装置１０は、Ｘ線ＣＴ装置や、Ｘ線診断装置、ＭＲＩ装置などの医用画像診断装置である。医用画像データベース２０は、各種の医用画像のデータを管理するシステムであるＰＡＣＳ（Picture  Archiving  and  Communication  System）のデータベースや、医用画像が添付された電子カルテを管理する電子カルテシステムのデータベースなどである。具体的には、医用画像データベース２０は、肺気腫の検査が行なわれた被検体の胸部を撮影した３次元医用画像を記憶している。図２は、本実施形態に係る画像処理装置による画像処理対象となるデータの一例を説明するための図である。
【００１３】
例えば、医用画像データベース２０は、図２に示すように、画像処理装置３０の画像処理対象である３次元Ｘ線ＣＴ画像、すなわち、肺気腫の検査が行なわれた被検体の胸部を医用画像診断装置１０であるＸ線ＣＴ装置により撮影した３次元Ｘ線ＣＴ画像などを記憶している。
【００１４】
なお、以下では、被検体の胸部を撮影した３次元Ｘ線ＣＴ画像が画像処理装置３０の画像処理対象である場合について説明するが、本実施形態は、画像処理装置３０の画像処理対象が、被検体の胸部を撮影した３次元ＭＲＩ画像や、被検体の胸部を撮影した３次元Ｘ線画像である場合であっても、適用可能である。
【００１５】
図１に戻って、本実施形態に係る画像処理装置３０は、入力部３１と、表示部３２と、肺野領域抽出部３３と、肺野底部領域抽出部３４と、検出部３５と、制御部３６とを有する。
【００１６】
入力部３１は、マウス、キーボードなどを有し、画像処理装置３０の操作者からの各種設定要求を受け付ける。例えば、入力部３１は、画像処理対象となる３次元Ｘ線ＣＴ画像の指定を操作者から受け付ける。これにより、画像処理装置３０は、後述する制御部３６の処理により、操作者が指定した３次元Ｘ線ＣＴ画像を医用画像データベース２０から取得する。
【００１７】
表示部３２は、液晶ディスプレイやＣＲＴ（Cathode-Ray  Tube）ディスプレイなどのモニタを有する。表示部３２は、入力部３１を介して操作者からコマンドを受け付けるためのＧＵＩ（Graphical  User  Interface）を表示したり、画像処理装置３０により実行された画像処理の結果を表示したりする。
【００１８】
肺野領域抽出部３３は、画像処理対象となる３次元医用画像を構成する各画素の画素値に基づいて、当該３次元医用画像から肺野領域を抽出する。具体的には、まず、肺野領域抽出部３３は、３次元医用画像を構成する画素の中で画素値が所定の閾値以下の画素を特定することで、空気領域を抽出する。図３Ａ及び図３Ｂは、肺野領域抽出部を説明するための図である。
【００１９】
例えば、肺野領域抽出部３３は、３次元Ｘ線ＣＴ画像を構成する画素の中でＣＴ値が空気のＣＴ値と見なされる「閾値：−９５０ＨＵ」以下の低ＣＴ値領域を特定することで、図３Ａに示すように、空気領域を抽出する。図３Ａに示す一例では、肺野領域抽出部３３は、閾値以下の領域の画素値を「１」、閾値より大きい領域の画素値を「０」とする２値化処理を行なうことで、空気領域が白で描出された２値化画像を生成する。なお、図３Ａでは、空気領域の２値化画像を２次元で示しているが、実際には、肺野領域抽出部３３が生成する空気領域の２値化画像は、３次元画像である。
【００２０】
そして、肺野領域抽出部３３は、空気領域内の一つの画素をシード点とした領域拡張法を行なうことで肺野領域を抽出する。ここで、横隔膜は、肺野底部と接しているが、解剖学的に、肝臓が右側に位置するために、右肺野にある横隔膜上端の位置は、左肺野にある横隔膜上端の位置より高い位置にある。そこで、本実施形態では、肺野領域抽出部３３は、空気領域にて被検体の右側に位置する領域内の一つの画素をシード点とした領域拡張法を行なうことで右肺野領域を抽出する。
【００２１】
例えば、肺野領域抽出部３３は、図３Ｂの左図に示すように、空気領域の右側の領域内にある一画素をシード点とする。そして、肺野領域抽出部３３は、シード点を起点として画素値が「１」の画素を順次特定することで、画素値が「１」の領域を拡張する。これにより、肺野領域抽出部３３は、図３Ｂの右図に示すように、右肺野領域を抽出する。図３Ｂに示す一例では、肺野領域抽出部３３は、領域拡張法により右肺野領域として抽出された領域の画素値を「１」、右肺野領域以外の領域の画素値を「０」とする２値化処理を行なうことで、右肺野領域が白で描出された２値化画像を生成する。なお、図３Ｂの右図では、右肺野領域の２値化画像を２次元で示しているが、実際には、肺野領域抽出部３３が生成する右肺野領域の２値化画像は、３次元画像である。
【００２２】
ここで、シード点は、操作者により設定される場合であっても良いし、肺野領域抽出部３３により設定される場合であっても良い。操作者が手動によりシード点を設定する場合、例えば、操作者が入力部３１を介して入力した指示に基づいて、後述する制御部３６は、図３Ａで示した空気領域の３次元２値化画像からコロナル断面画像を生成し、生成したコロナル断面画像を表示部３２にて表示させる。そして、操作者は、表示されたコロナル断面画像を参照して、シード点となる画素を、入力部３１を介して設定する。
【００２３】
また、シード点が自動的に設定される場合、肺野領域抽出部３３は、空気領域において右肺野領域である可能性の高い一画素を検出する。具体的には、肺野領域抽出部３３は、画像データ（空気領域の３次元２値化画像）を画像サイズの半分のサイズで左右に分割する。例えば、肺野領域抽出部３３は、撮影時の被検体の体位及び医用画像診断装置１０の座標系の情報など画像データに付与されている付帯情報を参照して、画像データを被検体の右側及び左側に分割する。そして、肺野領域抽出部３３は、例えば、右側の画像データの中心に位置する一画素を、右肺野領域である可能性の高い画素として検出し、検出した画素をシード点として設定する。
【００２４】
あるいは、シード点が自動的に設定される場合、肺野領域抽出部３３は、例えば、右側の画像データにおいて、所定サイズの３次元領域内にある画素（ボクセル）の画素値がすべて「１」である領域を抽出し、抽出した領域の中心に位置する一画素を、右肺野領域である可能性の高い画素として検出し、検出した画素をシード点として設定する。
【００２５】
図１に戻って、肺野底部領域抽出部３４は、肺野領域抽出部３３により抽出された肺野領域から、肺野底部領域を抽出する。具体的には、肺野底部領域抽出部３４は、３次元医用画像の各画素が肺野領域として抽出された画素であるか否かを、被検体の下肢部から頭部に向かう体軸方向に沿った複数の走査方向にて判定する。そして、肺野底部領域抽出部３４は、各走査方向にて最初に肺野領域として判定した画素により形成される領域を肺野底部領域として抽出する。なお、本実施形態では、肺野底部領域抽出部３４は、肺野領域抽出部３３により抽出された右肺野領域から肺野底部領域を抽出する。図４は、肺野底部領域抽出部を説明するための図である。
【００２６】
すなわち、肺野底部領域抽出部３４は、右肺野領域の２値化画像において、図４の左図に示すように、被検体の下肢部から頭部に向かう体軸方向に沿った複数の走査方向を設定する。そして、肺野底部領域抽出部３４は、各走査方向にある画素の画素値が「０」であるか「１」であるかを判定する。そして、肺野底部領域抽出部３４は、図４の右図に示すように、各走査方向にて最初に画素値が「１」であると判定した画素（ボクセル）により形成される領域を肺野底部領域として抽出する。図４の右図に示す一例では、肺野底部領域抽出部３４は、肺野底部領域として抽出された領域の画素値を「１」、肺野底部領域以外の領域の画素値を「０」とする２値化処理を行なうことで、肺野底部領域が白で描出された２値化画像を生成する。なお、図４の右図では、肺野底部領域の２値化画像を２次元で示しているが、実際には、肺野底部領域抽出部３４が生成する肺野底部領域の２値化画像は、３次元画像である。ここで、肺野底部領域抽出部３４により抽出された肺野底部領域を、以下、肺野底部領域マスクと記載する場合がある。
【００２７】
図１に戻って、検出部３５は、肺野底部領域抽出部３４により抽出された肺野底部領域の被検体の頭部側の頂点位置を検出する。具体的には、検出部３５は、肺野底部領域が存在する範囲内における３次元医用画像の複数のアキシャル面それぞれにて肺野底部領域が占める面積に基づいて、頂点位置を検出する。
【００２８】
換言すると、検出部３５は、肺野底部領域として抽出された領域の中で、真に横隔膜と広範囲で接している領域を特定し、特定した領域の中で最も高い位置（最も頭部側にあるアキシャル面の位置）を横隔膜の上端位置として検出する。以下、検出部３５が行なう処理の具体例について、図５、図６Ａ、図６Ｂ、図６Ｃ及び図６Ｄを用いて説明する。図５は、検出部の処理を説明するためのフローチャートであり、図６Ａ、図６Ｂ、図６Ｃ及び図６Ｄは、検出部を説明するための図である。
【００２９】
まず、図５に示すように、検出部３５は、肺野底部領域が抽出されたか否かを判定する（ステップＳ１）。ここで、肺野底部領域が抽出されていない場合（ステップＳ１否定）、検出部３５は、待機状態となる。
【００３０】
一方、肺野底部領域が抽出された場合（ステップＳ１肯定）、検出部３５は、スライス番号「ｉ」を「０」と設定する（ステップＳ２）。ここで、スライス番号「ｉ」は、３次元Ｘ線ＣＴ画像を構成する複数のアキシャル断面画像の中で、肺野底部領域マスクが存在するアキシャル断面画像の数（スライス数）により決定される範囲の整数となる。例えば、スライス数が「１００」である場合、「ｉ」は、「０」から「９９」の整数となる。
【００３１】
そして、検出部３５は、スライス番号「ｉ」の面積「Ｓｉ」を算出し（ステップＳ３）、算出した「Ｓｉ」を配列「Ａ［ｉ］」として保存する（ステップＳ４）。そして、検出部３５は、未処理のスライスがあるか否かを判定する（ステップＳ５）。例えば、検出部３５は、「ｉ」が「９９」であるか否かを判定する。
【００３２】
未処理のスライスがある場合、すなわち、「ｉ」が「９９」より小さい整数である場合（ステップＳ５肯定）、検出部３５は、「ｉ＝ｉ＋１」として「ｉ」をインクリメントし（ステップＳ６）、ステップＳ５における面積算出処理を行なう。
【００３３】
すなわち、ステップＳ３の処理において、まず、検出部３５は、図６Ａに示すように、肺野底部領域の２値化画像から、肺野底部領域マスクを通るスライス番号「ｉ」のアキシャル断面画像を生成する。そして、ステップＳ３の処理において、検出部３５は、図６Ａに示すように、スライス番号「ｉ」のアキシャル断面画像にて、肺野底部領域に対応する画素値「１」の画素数をカウントすることで、面積「Ｓｉ」を算出する。そして、検出部３５は、ステップＳ４の処理において、「Ｓｉ」を配列「Ａ［ｉ］」として保存する。
【００３４】
これにより、検出部３５は、図６Ｂに示すように、スライス番号（要素番号）が「０」から「９９」の１００個の配列「Ａ」を保存する。すなわち、検出部３５は、図６Ｂに示すように、スライス番号「０」の面積を示す配列「Ａ［０］＝１２０」や、スライス番号「１」の面積を示す配列「Ａ［１］＝２５０」、スライス番号「５０」の面積を示す配列「Ａ［５０］＝１８５」などを保存する。
【００３５】
図５のフローチャートに戻ると、未処理のスライスがない場合（ステップＳ５否定）、検出部３５は、「Ａ」を面積値（画素数）に基づいて降順にソートする（ステップＳ７）。そして、検出部３５は、ソートした結果、上位１５位のうち、Ａの最小要素番号を探索することで、頂点位置を検出し（ステップＳ８）、検出処理を終了する。
【００３６】
すなわち、検出部３５は、ステップＳ７の処理において、図６Ｃに示すように、「Ａ」を面積値（画素数）に基づいて降順にソートする。そして、検出部３５は、ステップＳ７の処理において、図６Ｃに示すように、上位１５位の配列を特定する。そして、検出部３５は、ステップＳ８の処理において、図６Ｄに示すように、上位１５位のうち、要素番号（スライス番号）が最小である「ｉ＝１」を横隔膜上部が位置するスライス面（アキシャル面）であると検出する。なお、上記では、３次元Ｘ線画像の撮影時に再構成されたアキシャル断面画像の枚数により、スライス数が設定される場合について説明した。しかし、本実施形態は、３次元Ｘ線画像の撮影時より細かいスライス間隔で右肺野領域の２値化画像からアキシャル断面画像を生成して、上記した肺野底部領域マスクの頂点位置の検出処理が実行される場合であっても良い。
【００３７】
図１に戻って、制御部３６は、画像処理装置３０の全体制御を行なう。すなわち、制御部３６は、操作者が指定した画像データの転送要求を医用画像データベース２０に送信したり、医用画像データベース２０から転送された画像データを肺野領域抽出部３３に転送したりする。また、制御部３６は、検出部３５の処理結果を表示部３２に表示するように制御する。
【００３８】
一例を挙げると、制御部３６は、検出部３５により検出された頂点位置を通るアキシャル面により３次元医用画像を切断したアキシャル断面画像、当該アキシャル断面画像の位置を３次元医用画像の他の画像に重畳した重畳画像の少なくとも一つを表示部３２に表示するように制御する。図７Ａ、図７Ｂ及び図７Ｃは、制御部の制御により表示される画像の一例を説明するための図である。
【００３９】
例えば、制御部３６は、図７Ａに示すように、検出部３５により探索されたスライス番号に対応するアキシャル面により３次元Ｘ線ＣＴ画像を切断したアキシャル断面画像を表示させる。
【００４０】
また、制御部３６は、３次元Ｘ線ＣＴ画像からコロナル断面画像を生成する。そして、制御部３６は、例えば、図７Ｂに示すように、コロナル断面画像に、横隔膜上部の位置に対応するアキシャル面の位置を示す点線を重畳させたうえで、表示部３２に表示するように制御する。図７Ｂに示す一例では、コロナル断面画像に描出された右肺野底部領域の頂点に横隔膜上部が位置していることが示されている。あるいは、制御部３６は、３次元Ｘ線ＣＴ画像からサジタル断面画像を生成し、サジタル断面画像に、横隔膜上部の位置に対応するアキシャル面の位置を示す点線を重畳させたうえで、表示部３２に表示するように制御しても良い。
【００４１】
また、制御部３６は、図７Ｃに示すように、アキシャル断面画像において、肺気腫領域を抽出し、抽出した肺気腫領域をさらに表示させてもよい。また、肺気腫領域の抽出及び表示処理は、上述したコロナル断面画像やサジタル断面画像において実行されてもよい。なお、アキシャル断面画像の位置が重畳される画像は、上述したように、３次元医用画像のコロナル断面画像やサジタル断面画像に限定されるものではない。アキシャル断面画像の位置が重畳される画像は、例えば、３次元医用画像のボリュームレンダリング画像や、３次元医用画像をサジタル面やコロナル面以外の任意の断面で切断したＭＰＲ（Multi  Planar  Reconstruction）画像、３次元医用画像のＭＩＰ（Maximum  Intensity  Projection）画像等、３次元医用画像の他の画像であっても良い。
【００４２】
ここで、肺気腫の画像診断を行なう際のガイドラインでは、医師が参照すべき断面として、横隔膜上端の位置を通るアキシャル面の他に、大動脈弓上縁付近の上肺野や、気管分岐点付近の中肺野、右横隔膜上の１〜３ｃｍ付近の下肺野のアキシャル面も指定されている。そこで、制御部３６は、横隔膜上部が位置するアキシャル面の他に、上肺野や中肺野、下肺野が位置するアキシャル面を表示させても良い。また、制御部３６は、横隔膜上部が位置するアキシャル面を示す点線の他に、上肺野や中肺野、下肺野が位置するアキシャル面を示す点線を、例えば、コロナル断面画像やサジタル断面画像に重畳表示させても良い。かかる場合、制御部３６は、検出部３５により検出された頂点位置より所定の距離離れた位置のアキシャル面により３次元医用画像を切断したアキシャル断面画像、当該アキシャル断面画像の位置を３次元医用画像の他の画像に重畳した重畳画像の少なくとも一つを表示部３２に表示するように制御する。例えば、制御部３６は、頂点位置より頭部側に２ｃｍ離れた位置のアキシャル面により３次元医用画像を切断したアキシャル断面画像を表示させる。或いは、制御部３６は、例えば、頂点位置より頭部側に２ｃｍ離れた位置のアキシャル面の位置を示す点線を、３次元医用画像のアキシャル断面画像以外の他の画像（例えば、コロナル断面画像や、サジタル断面画像、ＭＰＲ画像、ボリュームレンダリング画像、ＭＩＰ画像等）に重畳させた重畳画像を表示させる。なお、頂点位置からの距離は、「頂点位置から頭部側に２ｃｍ」と初期設定されている場合であっても、例えば、重畳画像の表示の際に、操作者により、例えば、「頂点位置から頭部側に１．５ｃｍ」と手動設定される場合であっても良い。また、制御部３６は、頂点位置及び頂点位置から所定の距離離れた位置の双方を用いて、各種画像の表示を行なっても良い。
【００４３】
次に、図８を用いて、本実施形態に係る画像処理装置３０の処理について説明する。図８は、本実施形態に係る画像処理装置の処理を説明するためのフローチャートである。
【００４４】
図８に示すように、本実施形態に係る画像処理装置３０は、画像処理対象となる３次元医用画像の指定を受け付けたか否かを判定する（ステップＳ１０１）。ここで、画像処理対象となる３次元医用画像の指定を受け付けていない場合（ステップＳ１０１否定）、画像処理装置３０は、待機状態となる。
【００４５】
一方、画像処理対象となる３次元医用画像の指定を受け付けた場合（ステップＳ１０１肯定）、画像処理装置３０は、指定された３次元医用画像を読込む（ステップＳ１０２）。例えば、画像処理装置３０は、被検体の胸部が撮影された３次元Ｘ線ＣＴ画像を読込む。
【００４６】
そして、肺野領域抽出部３３は、３次元医用画像を構成する各画素の画素値に基づいて、当該３次元医用画像から肺野領域を抽出する（ステップＳ１０３、図３を参照）。
【００４７】
その後、肺野底部領域抽出部３４は、肺野領域抽出部３３により抽出された肺野領域から、肺野底部領域を抽出し（ステップＳ１０４、図４を参照）、検出部３５は、肺野底部領域抽出部３４により抽出された肺野底部領域の被検体の頭部側の頂点位置を検出する（ステップＳ１０５、図５及び図６を参照）。
【００４８】
そして、制御部３６は、検出部３５の検出結果を表示部３２に表示するように制御し（ステップＳ１０６）、処理を終了する。すなわち、制御部３６は、検出部３５により検出された頂点位置を通るアキシャル面により３次元医用画像を切断したアキシャル断面画像、当該アキシャル断面画像の位置を３次元医用画像の他の画像に重畳した重畳画像の少なくとも一つを表示部３２に表示するように制御する。或いは、制御部３６は、頂点位置より所定の距離離れた位置のアキシャル面により３次元医用画像を切断したアキシャル断面画像、当該アキシャル断面画像の位置を３次元医用画像の他の画像に重畳した重畳画像の少なくとも一つを表示部３２に表示するように制御する。
【００４９】
上述してきたように、本実施形態では、肺野領域抽出部３３は、被検体の胸部を撮影した３次元医用画像を構成する各画素の画素値に基づいて、当該３次元医用画像から肺野領域を抽出する。肺野底部領域抽出部３４は、肺野領域抽出部３３により抽出された肺野領域から、肺野底部領域を抽出する。検出部３５は、肺野底部領域抽出部３４により抽出された肺野底部領域の被検体の頭部側の頂点位置を検出する。制御部３６は、検出部３５により検出された頂点位置を通るアキシャル面、又は、当該頂点位置より所定の距離離れた位置のアキシャル面により３次元医用画像を切断したアキシャル断面画像、当該アキシャル断面画像の位置を３次元医用画像の他の画像に重畳した重畳画像の少なくとも一つを表示部３２に表示するように制御する。
【００５０】
すなわち、本実施形態では、横隔膜上部の位置を、肺野底部領域の頂点となる位置という客観的判断基準により自動的に決定することができる。従って、本実施形態では、再現性のある横隔膜上端の位置決定を簡易かつ迅速に行なうことが可能となる。また、本実施形態では、肺気腫の画像診断を行なう際のガイドラインに沿って、「横隔膜上部のアキシャル断面画像、又は、横隔膜上部から所定の距離離れた位置のアキシャル断面画像」を表示したり、「横隔膜上部の位置、又は、横隔膜上部から所定の距離離れた位置が、３次元医用画像の各種画像に重畳された画像」を表示したりすることができる。従って、本実施形態では、肺気腫に関する画像診断の支援を効率良く行なうことができる。
【００５１】
また、本実施形態では、肺野領域抽出部３３は、３次元医用画像を構成する画素の中で画素値が所定の閾値以下の画素を特定することで、空気領域を抽出し、当該抽出した空気領域内の一つの画素をシード点とした領域拡張法を行なうことで肺野領域を抽出する。そして、肺野底部領域抽出部３４は、３次元医用画像の各画素が肺野領域として抽出された画素であるか否かを、被検体の下肢部から頭部に向かう体軸方向に沿った複数の走査方向にて判定し、各走査方向にて最初に肺野領域として判定した画素により形成される領域を肺野底部領域として抽出する。すなわち、本実施形態では、肺野領域の抽出処理及び肺野底部領域の抽出処理を、画像処理対象となる医用画像の特性に基づいて、簡易に実行することができる。
【００５２】
そして、本実施形態では、検出部３５は、肺野底部領域が存在する範囲内における３次元医用画像の複数のアキシャル面それぞれにて肺野底部領域が占める面積に基づいて、頂点位置を検出する。ここで、肺野領域として抽出される領域には、気管や気管支の空気領域など、肺野でない領域が含まれてしまう場合も想定される。かかる場合、肺野底部領域マスクには、肺野底部でない部分が含まれることとなり、その結果、単純に肺野底部領域マスクの頂点を決定しても、決定した頂点位置は、横隔膜上部の位置とならない場合がある。
【００５３】
そこで、本実施形態では、肺野底部でない部分が横隔膜上部の位置と検出されることを回避するため、肺野底部領域マスク内にある複数のアキシャル面それぞれにて肺野底部領域が占める画素数をカウントし、カウント数（面積）が大きいと判定されたアキシャル面の中で最も高い位置にあるアキシャル面の位置を頂点位置（横隔膜上部の位置）として検出する。すなわち、本実施形態では、周囲が肺野底部領域により占められていることから、真に横隔膜と接していると判定される肺野底部領域マスクの範囲を特定したうえで、頂点位置を検出することができる。従って、本実施形態では、横隔膜上部の位置の検出精度を向上させることができる。
【００５４】
また、本実施形態では、肺野領域抽出部３３は、空気領域にて被検体の右側に位置する領域内の一つの画素をシード点とした領域拡張法を行なうことで右肺野領域を抽出する。そして、肺野底部領域抽出部３４は、肺野領域抽出部３３により抽出された右肺野領域から肺野底部領域を抽出する。
【００５５】
すなわち、本実施形態では、右肺野にある横隔膜上端の位置が横隔膜全体における上端の位置である可能性が高いという解剖学的知見に基づいて、右肺野領域のみを処理対象とする。その結果、本実施形態では、画像処理に要する負荷を軽減することができ、横隔膜上端の位置決定をより迅速に行なうことが可能となる。
【００５６】
なお、上記した実施形態は、右肺野領域のみから肺野底部領域を抽出して、肺野底部領域の頂点位置を検出する場合について説明した。しかし、本実施形態は、左肺野領域についても、肺野底部領域の抽出処理及び頂点位置の検出処理を行なっても良い。かかる場合、検出部３５は、左右の肺野底部領域の頂点位置を比較して、より高い位置にある頂点の位置を横隔膜の上端として検出する。
【００５７】
また、上記した実施形態で説明した画像処理方法は、画像処理対象となる３次元医用画像を撮影した医用画像診断装置内で実行される場合であってもよい。すなわち、上記した本実施形態は、Ｘ線ＣＴ装置、Ｘ線診断装置、又は、ＭＲＩ装置などに画像処理装置３０が組み込まれる場合であってもよい。
【００５８】
以上、説明したとおり、本実施形態によれば、再現性のある横隔膜上端の位置決定を簡易かつ迅速に行なうことが可能となる。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
１０  医用画像診断装置
２０  医用画像データベース
３０  画像処理装置
３１  入力部
３２  表示部
３３  肺野領域抽出部
３４  肺野底部領域抽出部
３５  検出部
３６  制御部
【図１】
0005976293.tif 000002
【図２】
0005976293.tif 000003
【図３Ａ】
0005976293.tif 000004
【図３Ｂ】
0005976293.tif 000005
【図４】
0005976293.tif 000006
【図５】
0005976293.tif 000007
【図６Ａ】
0005976293.tif 000008
【図６Ｂ】
0005976293.tif 000009
【図６Ｃ】
0005976293.tif 000010
【図６Ｄ】
0005976293.tif 000011
【図７Ａ】
0005976293.tif 000012
【図７Ｂ】
0005976293.tif 000013
【図７Ｃ】
0005976293.tif 000014
【図８】
0005976293.tif 000015